(57)【要約】【課題】グループ通信ネットワークにおける待ち時間を低減すること。【解決手段】移動体（１０２，１０４，１０６）が休眠状態にありトラフィックチャネルがアクティブでないときであってもグループ呼シグナリングを交換することによって、実際の全体の休眠目覚まし時間とＰＴＴ待ち時間を大幅に低減する。本方法及び装置は、短いデータバースト（ＳＤＢ）メッセージシグナリングの使用を通じてグループ呼シグナリングを交換する。本方法及び装置は、話者移動体と休眠中の聴取者移動体に対して好ましくは同時に専用トラフィックチャネルを再確立する。
2005514803.tif 000002
【特許請求の範囲】
【請求項１】
通信装置において、グループ通信ネットワークにおける待ち時間を低減するための方法であって、前記方法は、
グループ呼を開始することを望む通信装置のユーザから発言権制御要求を受信し、
ワイヤレス通信ネットワークのリバースコモンチャネルに関して前記発言権制御要求をコントローラに送信すること
を具備する方法。
【請求項２】
前記受信することは、プッシュツートーク（ＰＴＴ）装置を介して前記発言権制御要求を受信することを含む請求項１に記載の方法。
【請求項３】
前記送信することは、前記ワイヤレスネットワークのリバースアクセスチャネル（Ｒ−ＡＣＨ）に関して前記発言権制御要求を送信することを含む請求項１に記載の方法。
【請求項４】
前記送信することは、ワイヤレスネットワークのリバースエンハンストアクセスチャネル（Ｒ−ＥＡＣＨ）を送信することを含む請求項１に記載の方法。
【請求項５】
前記通信装置に対するトラフィックチャネルを再確立することをさらに含む請求項１に記載の方法。
【請求項６】
前記発言権制御要求の送信と同時に前記通信装置に対してトラフィックチャネルを再確立することをさらに含む請求項１に記載の方法。
【請求項７】
前記通信装置に対する無線リンクプロトコル（ＲＬＰ）を再交渉することをさらに含む請求項１に記載の方法。
【請求項８】
前記発言権制御要求の送信と同時に前記通信装置に対する無線リンクプロトコル（ＲＬＰ）を再交渉することをさらに含む請求項１に記載の方法。
【請求項９】
前記送信することは、前記発言権要求を短いデータバースト（ＳＤＢ）の形態で送信することを含む請求項１に記載の方法。
【請求項１０】
前記ワイヤレスネットワークのフォワードコモンチャネルに関して発言権制御要求に対する応答を受信することをさらに含む請求項１に記載の方法。
【請求項１１】
前記応答を受信することは、前記ワイヤレスネットワークのフォワードページングチャネル（Ｆ−ＰＣＨ）に関して前記応答を受信することを含む請求項１０に記載の方法。
【請求項１２】
前記応答を受信することは、前記ワイヤレスネットワークのフォワードコモンコントロールチャネル（Ｆ−ＣＣＣＨ）に関して前記応答を受信することを含む請求項１０に記載の方法。
【請求項１３】
前記応答を受信することは、前記応答を短いデータバースト（ＳＤＢ）の形態で受信することを含む請求項１０に記載の方法。
【請求項１４】
通信装置において、グループ通信ネットワークにおける待ち時間を低減する方法を具現化したコンピュータ読み取り可能な媒体であって、前記方法は
グループ呼を開始することを望む通信装置のユーザからの発言権制御要求を受信し、
ワイヤレスネットワークのリバースコモンチャネルに関して前記発言権制御要求をコントローラに送信すること、
を具備する方法。
【請求項１５】
前記受信することは、プッシュツートーク（ＰＴＴ）装置を介して前記発言権制御要求を受信することを含む請求項１４に記載の方法。
【請求項１６】
前記送信することは、前記ワイヤレスネットワークのリバースアクセスチャネル（Ｒ−ＡＣＨ）に関して前記発言権制御要求を送信することを含む請求項１４に記載のコンピュータ読み取り可能な媒体。
【請求項１７】
前記送信することは、前記ワイヤレスネットワークのリバースエンハンストアクセスチャネル（Ｒ−ＥＡＣＨ）に関して前記発言権制御要求を送信することを含む請求項１４に記載のコンピュータ読み取り可能な媒体。
【請求項１８】
前記方法はさらに、前記通信装置に対するトラフィックチャネルを再確立することを含むことを特徴とする請求項１４に記載の媒体。
【請求項１９】
前記方法はさらに、前記発言権制御要求を送信することと同時に前記通信装置に対するトラフィックチャネルを再確立することを含む請求項１４に記載のコンピュータ読み取り可能な媒体。
【請求項２０】
前記方法はさらに、前記通信装置に対する無線リンクプロトコル（ＲＬＰ）を再交渉することを含む請求項１４に記載のコンピュータ読み取り可能な媒体。
【請求項２１】
前記方法はさらに、前記発言権制御要求を送信することと同時に前記通信装置に対する無線リンクプロトコル（ＲＬＰ）を再交渉することを含む請求項１４に記載のコンピュータ読み取り可能な媒体。
【請求項２２】
前記送信することは、前記発言権制御要求を短いデータバースト（ＳＤＢ）の形態で送信することを含む請求項１４に記載のコンピュータ読み取り可能な媒体。
【請求項２３】
前記方法はさらに、前記ワイヤレスネットワークのフォワードコモンチャネルに関して前記発言権制御要求に対する応答を受信することを含む請求項１４に記載のコンピュータ読み取り可能な媒体。
【請求項２４】
前記応答を受信することは、前記ワイヤレスネットワークのフォワードページングチャネル（Ｆ−ＰＣＨ）に関して応答を受信することを含む請求項２３に記載のコンピュータ読み取り可能な媒体。
【請求項２５】
前記応答を受信することは、前記ワイヤレスネットワークのフォワードコモンコントロールチャネル（Ｆ−ＣＣＣＨ）に関して応答を受信することを含む請求項２３に記載のコンピュータ読み取り可能な媒体。
【請求項２６】
前記応答を受信することは、前記応答を短いデータバースト（ＳＤＢ）形態で受信することを含む請求項２３に記載のコンピュータ読み取り可能な媒体。
【請求項２７】
グループ通信ネットワークにおける待ち時間を低減するための通信装置であって、
グループ呼を開始することを望む通信装置のユーザからの発言権要求を受信するための手段と、
ワイヤレスネットワークのリバースコモンチャネルに関して前記発言権制御要求を送信するための手段と、
を具備する通信装置。
【請求項２８】
前記受信手段は、プッシュツートーク（ＰＴＴ）装置を含む請求項２７に記載の通信装置。
【請求項２９】
前記送信手段は、前記ワイヤレスネットワークのリバースアクセスチャネル（Ｒ−ＡＣＨ）に関して発言権制御要求を送信するための手段を含む請求項２７に記載の通信装置。
【請求項３０】
前記送信手段は、前記ワイヤレスネットワークのリバースエンハンストアクセスチャネル（Ｒ−ＥＡＣＨ）に関して前記発言権制御要求を送信するための手段を含む請求項２７に記載の通信装置。
【請求項３１】
前記通信装置に対するトラフィックチャネルを再確立するための手段をさらに含む請求項２７に記載の通信装置。
【請求項３２】
前記発言権制御要求を送信することと同時に前記通信装置に対するトラフィックチャネルを確立するための手段をさらに含む請求項２７に記載の通信装置。
【請求項３３】
前記通信装置に対する無線リンクプロトコル（ＲＬＰ）を再交渉するための手段をさらに含む請求項２７に記載の通信装置。
【請求項３４】
前記発言権制御要求の送信と同時に前記通信装置に対する無線リンクプロトコル（ＲＬＰ）を再交渉するための手段をさらに含む請求項２７に記載の通信装置。
【請求項３５】
前記発言権制御要求を短いデータバースト（ＳＤＢ）の形態で送信するための手段を含む請求項２７に記載の通信装置。
【請求項３６】
前記ワイヤレスネットワークのフォワードコモンチャネルに関して前記発言権制御要求に対する応答を受信するための手段をさらに含む請求項２７に記載の通信装置。
【請求項３７】
前記応答を受信するための手段は、前記ワイヤレスネットワークのフォワードページングチャネル（Ｆ−ＰＣＨ）に関する応答を受信するための手段を含む請求項３６に記載の通信装置。
【請求項３８】
前記応答を受信するための手段は、前記ワイヤレスネットワークのフォワードコモンコントロールチャネル（Ｆ−ＣＣＣＨ）に関する応答を受信するための手段を含む請求項３６に記載の通信装置。
【請求項３９】
前記応答を受信するための手段は、前記応答を短いデータバースト（ＳＤＢ）の形態で受信するための手段を含む請求項３６に記載の通信装置。
【請求項４０】
グループ通信ネットワークにおける待ち時間を低減するための通信装置であって、
前記通信装置は、
受信機と、
送信機と、
前記受信機と前記送信機とに通信可能に結合されたプロセッサと、
を具備し、前記プロセッサは、
グループ呼を開始することを望む通信装置のユーザから発言権制御要求を受信し、
ワイヤレスネットワークのリバースコモンチャネルに関する発言権制御要求をコントローラに送信することが可能である通信装置。
【請求項４１】
前記受信することは、プッシュツートーク（ＰＴＴ）装置を介して前記発言権制御要求を受信することを含む請求項４０に記載の通信装置。
【請求項４２】
前記送信することは、前記ワイヤレスネットワークのリバースアクセスチャネル（Ｒ−ＡＣＨ）に関して発言権制御要求を送信することを含む請求項４０に記載の通信装置。
【請求項４３】
前記通信することは、前記ワイヤレスネットワークのリバースエンハンストアクセスチャネル（Ｒ−ＥＡＣＨ）に関して発言権制御要求を送信することを含む請求項４０に記載の通信装置。
【請求項４４】
前記プロセッサはさらに、前記通信装置に対してトラフィックチャネルを再確立することが可能である請求項４０に記載の通信装置。
【請求項４５】
前記プロセッサはさらに、前記発言権制御要求を送信することと同時に前記通信装置に対するトラフィックチャネルを再確立することが可能な請求項４０に記載の通信装置。
【請求項４６】
前記プロセッサはさらに、前記通信装置に対する無線リンクプロトコル（ＲＬＰ）を再交渉することが可能な請求項４０に記載の通信装置。
【請求項４７】
前記プロセッサはさらに、前記発言権制御要求を送信することと同時に前記通信装置に対する無線リンクプロトコル（ＲＬＰ）を再交渉することが可能な請求項４０に記載の通信装置。
【請求項４８】
前記送信することは、前記発言権制御要求を短いデータバースト（ＳＤＢ）の形態で送信することを含む請求項４０に記載の通信装置。
【請求項４９】
前記プロセッサはさらに、前記ワイヤレスネットワークのフォワードコモンチャネルに関して前記発言権制御要求に対する応答を受信することが可能な請求項４０に記載の通信装置。
【請求項５０】
前記応答を受信することは、前記ワイヤレスネットワークのフォワードページングチャネル（Ｆ−ＰＣＨ）に関して前記応答を受信することを含む請求項４９に記載の通信装置。
【請求項５１】
前記応答を受信することは、前記ワイヤレスネットワークのフォワードコモンコントロールチャネル（Ｆ−ＣＣＣＨ）に関して前記応答を受信することを含む請求項４９に記載の通信装置。
【請求項５２】
前記応答を受信することは、前記応答を短いデータバースト（ＳＤＢ）の形態で受信することを含む請求項４９に記載の通信装置。
【発明の詳細な説明】
【技術分野】
【０００１】
本発明は、ポイント対マルチポイント通信システムに関する。より詳細には、本発明は、グループ通信ネットワークにおけるプッシュツウトーク通信装置のユーザのための休眠／目覚まし待ち時間を低減するための方法及び装置に関する。
【背景技術】
【０００２】
迅速で効率的な１対１または１対多（グループ）通信を目的とするワイヤレスサービスの分野は、種々の形態で長年にわたって存在している。概して、これらのサービスは半二重となっており、ユーザは電話／無線機のプッシュツウトーク（ＰＴＴ）ボタンを押して会話を開始する。いくつかの実装においてあるいは、通信がある種のサーバを介して発生する仲介型システムにおいて無線機のボタンを押すことは、“発言権”に対するユーザの要求を示している。発言権すなわち会話許可が承認されると、次にユーザは概して２，３秒間会話を行い、その後、ＰＴＴボタンを解放する。これにより他の話者が発言権を要求可能になる。通信は概して、一人の話者からグループの聴取者に対するものであるが、一人対一人の場合もある。このサービスは本来、フィールドサービス人員やタクシー運転手などの、“ディスパッチャ（配送者）”と呼ばれる一人の人がグループと通信を行うアプリケーションにおいて使用されており、このことは、当該サービスに対して“ディスパッチャ”という名称が使用される所以である。
【０００３】
近年、インターネット上において類似のサービスが提案され、これは概して“ボイスチャット”と呼ばれている。このサービスは通常、パーソナルコンピュータのアプリケーションとして実現されており、インターネットプロトコル（ＩＰ）パケットにおけるボコーダフレームを、ボイスオーバＩＰ（ＶｏＩＰ）サービスであれば、中央グループサーバに送信する。あるいはピアツーピアサービスであればクライアントからクライアントに送信する。
【０００４】
これらのサービスの主な特徴は、迅速かつ偶発的であり、通常のダイヤル操作及び鳴動工程を経ることなしに単にＰＴＴボタンを押すことによって開始される。この種のサービスにおける通信は概して大変短く、個々の会話の“発声”は概して数秒であり、“会話”はおそらく１分間未満で終了する。
【０００５】
ユーザが発言権を要求してから、サーバから発言権が与えられる肯定の確認応答あるいは否定の確認応答を受信して会話を開始するまでの時間遅延はＰＴＴ待ち時間と呼ばれ、半二重グループ通信システムでの重要なパラメータである。
【発明の開示】
【発明が解決しようとする課題】
【０００６】
上記したように、配送システムは短時間で迅速な会話を重要視するので、前記ＰＴＴ待ち時間が長くなるならば、サービスの効率は低下することになる。
【０００７】
既存のグループ通信インフラストラクチャはＰＴＴ待ち時間を大きく低減させることに対して制限された機会しか提供しない。すなわち、実際のＰＴＴ待ち時間は、休眠中のパケットデータセッション内でトラフィックチャネルを再確立するのに要する時間以下には低減することはできない。さらに、話者及び聴取者のトラフィックチャネルは、連続的に発生するが、これは、休眠中のグループを目覚めさせることを開始するのに用いられるただ１つの機構が話者のトラフィックチャネルがサーバに合図するために再確立されるのを待つことであるためである。
【０００８】
現在、移動体で発生されたユーザシグナリングデータを送信するのにトラフィックチャネルを介して行う以外に方法は存在しない。これは、クライアントとサーバ間の通信が発生する前にトラフィックチャネルが再確立されることが必須であることを意味し、１つの制限となってしまう。
【０００９】
従って、システム容量、クライアントのバッテリ寿命、あるいは他の資源に悪影響を与えることなしに、話者によって経験されるみかけのＰＴＴ待ち時間と、移動体に参加するためのトラフィックチャネルを再確立するのに要する全体の時間とを低減するための機構に対する要望があった。
【課題を解決するための手段】
【００１０】
開示された実施形態は、グループ通信ネットワークにおける休眠−目覚まし待ち時間を低減するための新規で改善された方法及び装置を提供する。本発明の一側面において、グループ通信ネットワークにおける待ち時間を低減する方法は、グループ呼び出しを開始することを望む通信装置のユーザから発言権制御要求を受信する工程と、ワイヤレスネットワークのリバースコモンチャネルを介して発言権制御要求をコントローラに送信する工程と、を含む。
【００１１】
本発明の一側面において、発言権制御要求を送信することはリバースアクセスチャネル（Ｒ−ＡＣＨ）またはリバースエンハンストアクセスチャネル（Ｒ−ＥＡＣＨ）に介した送信に関する。
【００１２】
本発明の一側面において、前記方法はさらに、発言権制御要求を送信することと同時に通信装置のためのトラフィックチャネルを再確立することを含む。
【００１３】
本発明の一側面において、前記方法はさらに、発言権制御要求を送信することと同時に通信装置のための無線リンクプロトコル（ＲＬＰ）を再交渉することを含む。
【００１４】
本発明の一側面において、グループ通信ネットワークにおける待ち時間を低減するための通信装置は、受信機と、送信機と、受信機と送信機とに通信可能に結合されたプロセッサとを含む。プロセッサは、グループ呼び出しを開始することを望む通信装置のユーザから発言権制御要求を受信して、ワイヤレスネットワークのリバースコモンチャネルを介して発言権制御要求をコントローラに送信することが可能である。本発明の一側面において、通信装置はプッシュツートーク（ＰＴＴ）装置である。
【発明の効果】
【００１５】
本発明によれば、グループ通信ネットワークにおけるプッシュツウトーク通信装置のユーザのための休眠／目覚まし待ち時間を低減することができる。
【発明を実施するための最良の形態】
【００１６】
本発明の一実施形態を詳細に説明する前に、本発明はその応用において、以下の説明に記載あるいは図面に示された構成要件の構成及び配置の詳細に限定されない。本発明は他の実施形態において実現可能であり、種々の方法により実行される。また、ここで使用される専門語及び術語は説明の都合上用いただけであり、限定としてみなされるべきではない。
【００１７】
図１は、グループ通信システム１００の例示的な機能ブロック図である。グループ通信システム１００は、プッシュツートークシステム、ネットブロードキャストサービス（ＮＢＳ）、ディスパッチシステムあるいはポイントツーマルチポイント通信システムである。ＮＢＳ１００において、ネットメンバーとして個々に知られる一群の通信装置ユーザは、各ネットメンバーに割り当てられた通信装置を使用して互いに通信する。“ネット”という用語は互いに通信することを容認された一群の通信装置ユーザを意味する。
【００１８】
一実施形態において、中央データベースは各特定のネットのメンバを識別する情報を含む。例えば、第１ネットは１０メンバを有するものとして定義され、第２ネットは２０メンバを有するものとして定義される。第１ネットの１０メンバは互いに通信を行うが、第２ネットのメンバと通信を行わない。他の実施形態において、異なるネットのメンバは１つのネットより以上のメンバ間の通信を監視することができるが、情報を自身のネット内のメンバに送信することができるのみである。
【００１９】
ネットは既存のインフラストラクチャに対して実質的な変更なしに既存の通信システム上で動作する。すなわち、コントローラ及びネット上のユーザは、符号分割多元接続（ＣＤＭＡ）システム、時分割多元接続（ＴＤＭＡ）システム、移動体通信（ＧＳＭ）システムのためのグローバルシステム、グローバルスター（登録商標）又はイリディウム（登録商標）などの衛星通信システム、あるいは種々の他のシステムにおいてインターネットプロトコル（ＩＰ）を使用してパケット情報を送信及び受信可能である。
【００２０】
ネットメンバは、通信装置（ＣＤ）１０２，１０４，１０６及び１０８として示される、割り当てられた通信装置を使用して互いに通信を行う。ＣＤ１０２、１０４、１０６及び１０８は、地上ワイヤレス電話、プッシュツートーク機能を有するワイヤ線電話、プッシュツートーク機能を備えた衛星電話、ワイヤレスビデオカメラ、スチルカメラ、音楽レコーダあるいはプレーヤなどの音響装置、ラップトップまたはデスクトップコンピュータ、ページング装置あるいはそれらの組み合わせである。例えば、ＣＤ１０２はビデオカメラ及びディスプレイをもつワイヤレス地上電話を具備する。さらに、各ＣＤはセキュアモードあるいは非セキュア（クリア）モードで情報を送信及び受信することができる。以下の説明において、個々のＣＤに対する参照はワイヤレスプッシュトートーク電話を意味するものとする。しかしながら、ＣＤに対する参照はそのようなものに限定されることはなく、インターネットプロトコル（ＩＰ）に従ってパケット情報を送信及び受信する機能を持つ他の通信装置を含む。
【００２１】
図２のＮＢＳシステム２００において、送信特権は概して単一のユーザが情報を所定の時間に他のネットメンバに送信することを可能にする。送信特権が、要求が受信されたときに現在他のネットメンバに割り当てられているか否かに応じて、当該送信特権は要求しているネットメンバに対して許可あるいは否定される。通信要求の許可及び否定の処理は、アービトレーション（仲裁）として知られる。アービトレーション手順は、要求するネットメンバが送信特権を許可されたかどうかを決定するにあたって、各ＣＤに割り当てられた優先レベル、送信特権を獲得するための企てが失敗した回数、ネットメンバが送信特権を保持した時間の長さあるいは他の要因などの要因を評価する。
【００２２】
ＮＢＳシステム１００に参加するために、ＣＤ１０２，１０４、１０６及び１０８はそれぞれコントローラあるいは通信マネージャ（ＣＭ）１１０から送信特権を要求する機能をもつ。ＣＭは少なくとも１つのプロセッサ及びメモリをもつ任意のタイプのコンピュータ装置である。一実施形態において、ＣＭはサンワークステーションNetra T1（登録商標）である。
【００２３】
ＣＭ１１０は、認可がサービスプロバイダによって提供されることを仮定すると、通信システムサービスプロバイダまたはネットメンバあるいはそれら両方を介して遠隔的に動作される。ＣＭ１１０は外部の管理インタフェースを介してネット定義を受信する。ネットメンバはサービスプロバイダを介して管理アクションを要求するか、あるいはＣＭ管理インタフェースに一致するメンバ駆動セキュリティマネージャ（ＳＭ）１１２などの既定されたシステムを介してネット機能を管理する。ＣＭ１１０は、ネットを確立あるいは変更することを企てる者を認証する。
【００２４】
ＳＭ１１２はセキュアなネットを支持するために、鍵管理、ユーザ認証及び関連するタスクを実行する。単一のグループ通信システムは１つまたはそれ以上のＳＭ１１２と相互に通信する。ＳＭ１１２はネット駆動またはＰＴＴアービトレーションを含む、ネットのリアルタイム制御とは無関係である。ＳＭ１１２は管理機能を自動化するためにＣＭ１１０インタフェースに一致した管理機能をもつ。ＳＭ１１２はネットに参加してネット鍵をブロードキャストし、あるいは単にネットトラフィックを管理するために、データエンドポイントとして機能する。
【００２５】
一実施形態において、ＣＭからの送信特権を要求する手段は、プッシュツートーク（ＰＴＴ）鍵またはスイッチを具備する。ＮＢＳ１００におけるユーザが他のネットメンバに情報を送信することを望む場合、ユーザはＣＤに配置されているプッシュツートークスイッチを押圧して、ＣＭ１１０からの送信特権を獲得するために発言権制御要求を送信する。他のネットメンバが現在送信特権を割り当てられていないならば、要求しているユーザは送信特権を許可されて、ユーザはＣＤを介して聴覚、視覚あるいは触覚を介しての警告によって通知される。要求しているユーザが送信特権を許可された後に、情報は当該ユーザから他のネットメンバに送信される。
【００２６】
本発明の一実施形態において、各ワイヤレスネットメンバは状況に応じて１つまたはそれ以上の基地局１１６とフォワードリンク及びリバースリンクを確立する。基地局１１６は、基地局１１６または衛星ゲートウェイ１１８からＣＤへの通信チャネルを記述するのに使用される。衛星ゲートウェイ１１８はＣＤから基地局１１６または衛星ゲートウェイ１１８への通信チャネルを記述するのに使用される。音声及び／又はデータは、例えば、他のユーザへの通信が発生する特定の分散ネットワーク１２０に適しているＣＤを使用してデータパケットに変換される。一実施形態において、分散ネットワーク１２０はインターネットである。
【００２７】
一実施形態において、各ネットメンバから他のネットメンバに情報をブロードキャストするために、各通信システムすなわち地上通信システム及び衛星通信システムにおいて専用フォワードチャネルが確立される。各ネットメンバはこの専用チャネルを介して他のネットメンバから通信を受信する。他の実施形態において、情報をＣＭ１１０に送信するために各通信システムにおいて専用リバースリンクが確立される。一実施形態において、上記の方法の組み合わせが使用される。例えば、一方法によれば、専用フォワードブロードキャストチャネルの確立を含み、各ＣＤに割り当てられた専用リバースリンクを介して、情報をＣＭ１１０に送信することが要求される。
【００２８】
第１のネットメンバが情報をネットの他のメンバに送信することを望むとき、第１のネットメンバはＣＤ上のプッシュツートークボタンを押圧することによって送信特権を要求する。前記ボタンの押圧により分散ネットワーク１２０を介しての送信用にフォーマットされた要求を生成する。ＣＤ１０２及び１０４の場合、前記要求は空中を介して１つまたはそれ以上の基地局１１６に送信される。移動体交換局（ＭＳＣ）１２２は、処理するデータパケットがＢＳ１１６と分散ネットワーク１２０間に存在するので、良く知られた相互作用機能（ＩＷＦ）、パケットデータ供給ノード（ＰＤＳＮ）あるいはパケット制御機能（ＰＣＦ）を含む。ＣＤ１０６に対して、要求は衛星ゲートウェイ１１８を介して送信される。ＣＤ１０８に対して、要求は公衆交換電話網（ＰＳＴＮ）１２４を介してモデムバンク１２６に送信される。モデムバンク１２６は当該要求を受信してそれを分散ネットワーク１２０に供給する。ＮＢＳ端末１２８は分散ネットワーク１２０への接続を介してＮＢＳシステムのトラフィックを監視する。ＮＢＳ端末１２８は分散ネットワーク１２０に接続されているので、ネット参加者に地理的に近いことは必須ではない。
【００２９】
他のメンバが現在送信特権を保持していないならば、ＣＭ１１０が送信特権要求を受信するときに、ＣＭ１１０はメッセージを要求するネットメンバに送信し、送信特権が許可されたことを通知する。聴覚、視覚あるいは第１のネットメンバからの他の情報は、上記した送信パスの１つを使用して情報をＣＭ１１０に送信することによって他のネットメンバに送信される。一実施形態において、ＣＭ１１０は、情報を複写して各複写物を他のネットメンバに送信することによって、他のネットメンバに情報を供給する。単一のブロードキャストチャネルが使用されるならば、使用中の各ブロードキャストチャネルに対して情報は一度だけ複写するだけで良い。
【００３０】
他の実施形態において、ＣＭ１１０は、支持する基地局からのデータパケットが分散ネットワーク１２０に経路制御されずにＣＭ１１０に直接経路制御されるように、ＭＳＣ１２２内に組み込まれる。この実施形態において、ＣＭ１１０は、他の通信システム及び装置がグループ通信に参加するように分散ネットワーク１２０に接続されている。さらに他の実施形態において、ＣＭはＰＤＳＮまたはＭＳＣのＰＣＦモジュール内に組み込まれる。
【００３１】
一実施形態において、ＣＭ１１０は、個々のネットメンバ及び各定義されたネットに関連する情報を管理するための１つまたはそれ以上のデータベースを維持する。例えば、各ネットメンバに対して、データベースは、ユーザ名、アカウント番号、電話番号、あるいはメンバのＣＤに関連したダイヤル番号、ＣＤに割り当てられた移動体識別番号、メンバが実際にネットに参加しているか否かなどの、ネット内の現在のメンバのステータス、送信特権がどのようにして割り当てられるかを決定するための優先コード、ＣＤに関連するデータ電話番号、ＣＤに関連するＩＰアドレス、メンバがどのネットと通信することを許可されたかの表示、などの情報を含む。他の関連する種類の情報は、各ネットメンバに関してデータベースによって記憶される。
【００３２】
一実施形態において、ＣＤは１つの話者グループあるいはネットを形成するために個々の通信端末の接続を形成する。ＣＭは、異なるアプリケーションを提供するために、異なる方法で構成可能なハードウェア及びソフトウェア上の種々の機能上の能力を具備する。ＣＭは、（ＮＢＳ）ネットのリアルタイム、管理、認証動作、プッシュツートーク（ＰＴＴ）要求アービトレーション、ネットメンバシップ及び登録リストの維持及び配布、呼の設定及び必要な通信（例えば、ＣＤＭＡ、システム及びネットワーク資源さらにはネットステータスの全体的制御）を管理するための能力を提供する。
【００３３】
ＮＢＳネットはスタンドアロンの分解可能なセルラシステム内にあるかあるいは大型の多数サイト構成内に存在する。大型の構成の場合、多数ＣＭは、単一の集積されたシステムを形成するように地理的に展開される。それぞれは既存のセルラインフラストラクチャ内にプラグインモジュールとして動作する。従って、ＮＢＳネットによって導入された新たな特徴は、既存のセルラインフラストラクチャに対する変更なしにセルラユーザに利用可能である。
【００３４】
ＣＭは定義されたＮＢＳネットのリストを維持する。一実施形態において、各ネット定義は、ネット識別子、電話番号あるいは他の識別子情報を含むメンバのリスト、ユーザ優先権情報、そして他の一般的な管理情報を含む。ネットはクリアまたはセキュアとして性的に定義され、クリアとセキュア間の遷移は許可されない。セキュアＮＢＳネットは概して認証及び盗聴に対する保護を提供するためにメディア暗号化を使用する。セキュアネットに対するメディア暗号化は、エンドツーエンド（暗号化と復号とが通信装置内で発生することを意味する）に基づいて実装される。ＣＭはセキュリティアルゴリズム、鍵、方策の知識を有することなしに動作する。
【００３５】
図２は、通信装置２０２がＣＭ２０４といかにして相互作用するかを示すための例示的なＮＢＳネット２００を示すものである。多数ＣＭは大型ＮＢＳネットに望まれるものとして配置される。図２において、ＣＤ２０２はメディアをネットの他のメンバに送信する許可を有する。この場合、ＣＤ２０２は話者として知られ、メディアをチャネルを介して送信する。ＣＤ２０２が話者として指定されたとき、残りのネット参加者、ＣＤ２０６及びＣＤ２０８はメディアをネットに送信する許可を持たない。従って、ＣＤ２０６及びＣＤ２０８は聴取者として指定される。
【００３６】
上記したように、ＣＤ２０２，２０６及び２０８は、少なくとも１つのチャネルを介してＣＭ２０４に接続される。一実施形態において、チャネルは、セッション開始プロトコル（ＳＩＰ）チャネル２１０、ＮＢＳメディアシグナリングチャネル２１２そしてメディアトラフィックチャネル２１４を具備する個々のチャネルに分割される。ＳＩＰチャネル２１０及びＮＢＳメディアシグナリングチャネル２１２は、話者として指定されるかあるいは聴取者として指定されるかにかかわらず、帯域が許可されるならばＣＤ２０２，２０６そして２０８のいずれかによって任意のときに使用される。ＳＩＰは、インターネットプロトコル（ＩＰ）上で動作するマルチメディアセッションを確立、変更、停止するための制御機構を記述する、インターネットエンジニアリングタスクフォース（ＩＥＴＦ）規定のアプリケーションレイヤプロトコルである。ＳＩＰは、ユーザを登録し、探し当てる機構と、ユーザ能力を定義するとともにメディアパラメータを記述する機構と、ユーザ利用可能性、呼の設定、呼の処理を決定するための機構とを支持することによって、インターネットテレフォニーへの応用に対する呼シグナリングの問題に一般的な解決を提供する。
【００３７】
一実施形態において、ＳＩＰチャネル２１０は、ＮＢＳネット１００内のＣＤの参加を開始及び終了するのに使用される。セッション記述プロトコル（ＳＤＰ）信号は、ＳＩＰチャネル２１０内で使用される。例えばＳＩＰチャネル２１０を使用することによってＮＢＳ内へのＣＤの参加が設定されたとき、例えばＮＢＳメディアシグナリングチャネル２１２を使用することによってＣＤ及びＣＭ間のリアルタイム呼制御とシグナリングとが発生する。一実施形態において、ＮＢＳメディアシグナリングチャネル２１２はプッシュツートーク要求及び解放、抵触する要求間の仲裁、あるいは発言権制御を処理したり、情報送信の開始及び終了の通知、ネット休眠の管理、エンドポイントの追跡、ネットステータスの要求及び交換、エラーメッセージの通知を行う。ＮＢＳメディアシグナリングチャネル２１２のプロトコルは、将来の強化に対する柔軟性を維持しながらモーストコモンメッセージの長さを最小化し、返答の解釈及び要求に対する応答のタスクを簡略化する。ＮＢＳメディアシグナリングチャネル２１２のプロトコルはプロトコル状態に悪影響を与えることなしに要求の再送を可能にする。
【００３８】
一実施形態において、ＮＢＳメディアチャネル２１２についてのシグナリングトラフィックは呼の設定及び、セッション招待要求及び確認応答からなる制御シグナリング及び、リアルタイムの発言権要求及び関連する非同期メッセージからなるメディアシグナリングを含む。メディアトラフィックチャネル２１４についてのメディアトラフィックは、リアルタイムのポイントツーマルチポイント音声及び／又はデータブロードキャストからなる。両方のメッセージングカテゴリは独自の機能上の属性をもつ。さらに、各ＣＤは、完全な資格を有するＤＮＳホスト名のインターネットネットワークアドレスへのマッピングを確立するための、ドメイン名サービス（ＤＮＳ）クラアント要求を発行する。
【００３９】
一実施形態において、ＮＢＳ呼設定及び呼制御シグナリングはＳＩＰセマンテックスに従って実行される。ＳＩＰは既知のユーザデータグラムプロトコル（ＵＤＰ）またはトランスミッションコントロールプロトコル（ＴＣＰ）を使用して移送されるが、一実施形態において、各ＣＤはＵＤＰを使用してＳＩＰ基盤のシグナリング機能を実行する。また、各ＣＭはＵＤＰを介してＳＩＰシグナリング要求を受信する。リアルタイムシグナリングはＣＭ及び各ＣＤについての動的なＵＤＰ／ＩＰインタフェースを介して発生する。他のシグナリングは、例えばＳＩＰを使用して、ＣＭ及びＣＤ間の固定のＴＣＰ／ＩＰインタフェースを介して発生する。
【００４０】
ＰＴＴ待ち時間
一実施形態において、パケットデータサービスがアクティブのとき、例えば基地局トランシーバサブシステム（ＢＴＳ）、基地局コントローラ（ＢＳＣ）、インタワーキング（ＩＷＦ）、及び無線リンクなどの、インフラストラクチャ内の資源が移動局（ＭＳ）にアクティブに割り当てられる。ＩＰを基盤としたＶｏＩＰ配送サービスにおいて、グループ参加者間でアクティブな会話が起こっている間は、各ユーザに対するパケットデータ接続はアクティブ状態を維持する。しかしながら、非アクティブ期間すなわち“ハングタイム”の後で、グループ通信において、ユーザトラフィックチャネルは休眠状態に遷移する。
【００４１】
休眠状態への遷移は、システム容量を保存し、サービスコストとバッテリ消費を低減し、ユーザが到来する通常の音声呼を受信するのを可能にする。例えば、ユーザがアクティブなパケットデータ呼にあるときは、当該ユーザは概して到来する音声呼に対して“ビジー”であるとみなされる。ユーザのパケットデータ呼が休眠状態にあるならば、ユーザは到来する音声呼を受信することができる。これらの理由により、パケットデータの非アクティブ期間の後は、パケットデータ呼を休眠状態に遷移させることが望ましい。
【００４２】
パケットデータ呼がアクティブのときには、たとえデータパケットが交換されなくとも、無線周波数（ＲＦ）エネルギは基地局との同期及び電力制御を維持するために低いレベルであるが引き続き移動電話によって送信される。これらの送信は電話に関して重大な電力消費を引き起こす。しかしながら、休眠状態において、電話はＲＦ送信を実行しない。電話電力及びバッテリ寿命を確保するために、ハングタイムはデータ送信なしの拡張期間の後に電話が休眠モードに遷移するように設定される。パケットデータサービスが全てのユーザに対してアクティブのときに、ＭＳ及び配送サーバ間で送信されたＩＰデータグラムであるＰＴＴ要求は、非常に低い待ち時間を持っている。しかしながら、ユーザチャネルがあらかじめ休眠状態に遷移しているならば、ＰＴＴ待ち時間ははるかに長くなる。パケットデータ休眠の間に、移動体ＩＰアドレスを含む、パケットデータセッションに関連する状態情報は維持される。しかしながら、物理トラフィックレイヤなどの、ＰＰＰより低いレイヤに関連する状態情報は、解放及び／又は割り当て解除される。
【００４３】
あるインフラストラクチャにおいて、休眠状態のデータ接続を目覚めさせるために、トラフィックチャネルは再割当てされ、資源は再配置され、無線リンクプロトコル（ＲＬＰ）レイヤは、再初期化されねばならない。これによって、話者グループがしばらくの間会話をしなかった後に、ユーザが発言権を要求するためにＰＴＴボタンを押したならば、第１の会話発声に対するＰＴＴ待ち時間は概して次の会話発声によりもはるかに長くなる。このことは相対的に頻繁に起こることではないが，サービスの利用性に影響を与えるので最小にするべきである。
【００４４】
一実施形態において、グループ通信装置が休眠状態にあるときに、ＰＴＴ待ち時間は以下によって引き起こされる。
【００４５】
１．  話者チャネル割り当て遅延−ユーザがプッシュツートークボタンを押し、配送アプリケーションがＩＰ基盤の発言権要求メッセージを開始することに応答して話者の電話に対するトラフィックチャネルを割り当てかつ初期化するときの遅延。
【００４６】
２．  発言権要求伝搬遅延−発言権要求メッセージを配送サーバに伝搬するための時間
３．  アービトレーション遅延−配送サーバが潜在的に複数の発言権要求を処理するための時間
４．  目覚ましメッセージ遅延−配送サーバからのＩＰメッセージを、例えば聴取者にサービス提供しているセルラインフラストラクチャ、例えばＰＤＳＮに伝搬するまでの時間
５．  聴取者ページング遅延−聴取者の電話が目覚めて適切なページングチャネルスロットのページを受信することに対する要求による時間遅延
６．  聴取者チャネル割り当て遅延−聴取者の電話のトラフィックチャネルを割り当てかつ初期化するときの遅延
上記遅延の一部は、全体のＰＴＴ待ち時間に寄与する観点から見て、他の一部よりもより大きい。例えば、話者及び聴取者のチャネル割り当て待ち時間及び聴取者ページング待ち時間は、しばしば他の要素よりも大きいものであり、ともに最終的なＰＴＴ待ち時間パフォーマンスを駆動する。
【００４７】
ＰＴＴ待ち時間を低減するために、一実施形態において、発言権制御要求、発言権制御応答、休眠目覚ましメッセージなどの、グループ呼シグナリングは、専用トラフィックチャネルが再確立されるのを待つことなしに、利用可能な共通チャネルを介して送信される。そのような共通のチャネルは移動体の状態とは無関係に常に利用可能であり、ユーザがグループ呼を開始するたびに、要求されて再割当てされる必要がない。従って、グループ呼シグナリングは、移動体が休眠状態であっても交換され、話者と聴取者移動体に対して同時に専用トラフィックチャネルを再確立するための手段を提供する。
【００４８】
一実施形態において、呼び出し移動体は、リバースアクセスチャネル及びリバースエンハンストアクセスチャネルなどの、利用可能なリバースコモンチャネルを介して、発言権制御要求をワイヤレスインフラストラクチャに送信する。呼び出し移動体はさらにフォワードページングチャネル及びフォワードコモンコントロールチャネルなどの、利用可能なフォワードコモンチャネルを介して発言権制御要求に対する応答を受信する。一実施形態において、休眠中の聴取者移動体は、フォワードページングチャネル及びフォワードコントロールチャネルなどの、利用可能なフォワードコモンチャネルを介して休眠目覚ましメッセージを受信する。
【００４９】
短いデータバースト呼シグナリングメッセージ
一実施形態において、実際の全休眠目覚まし時間及び話者によって認知されたＰＴＴ待ち時間の大きな低減は、“ｃｄｍａ２０００スペクトラム拡散システムのためのＴＩＡ／ＥＩＡ／ＩＳ標準（以下では、ｃｄｍａ２０００標準と呼ぶ）”において提供されているような、短いデータバースト（ＳＤＢ）メッセージを使用することにより達成される。一実施形態において、ＳＤＢメッセージは、フォワードファンダメンタルチャネル（ＦＣＨ）またはフォワードデディケーテッドコモンコントロールチャネル（Ｆ−ＤＣＣＨ）などの専用物理チャネルあるいは、リバースアクセスチャネル（Ｒ−ＡＣＨ）、リバースエンハンストアクセスチャネル（Ｒ−ＥＡＣＨ）、フォワードコモンコントロールチャネル（Ｆ−ＣＣＣＨ）あるいはページングチャネル（ＰＣＨ）などの共通物理チャネルを介して送信される。ＳＤＢメッセージは、メッセージを適切な利用可能な物理レイヤチャネル上にマッピングする無線バーストプロトコル（ＲＢＰ）によって搬送される。ＳＤＢメッセージは任意のＩＰトラフィックを搬送し、共通の物理的チャネルを介して送信されるので、ＳＤＢメッセージは、呼び出し中のクライアントの移動体が専用のトラフィックチャネルを有していないときにグループ呼シグナリングを交換する機構を提供する。
【００５０】
移動体から発せられる呼シグナリングメッセージ
一実施形態において、メディアシグナリングメッセージは、リバースリンクまたは移動体から発せられるリンクを介してＩＰデータグラムを搬送する。クライアント移動局は、ユーザが発言権を要求し、専用のリバーストラフィックチャネルが利用可能でなかったときにはいつでも、直ちにＣＭに合図を送る。クライアント移動局がすべての専用トラフィックチャネルを解放したとすると、クライアント移動局はただちに当該要求をＣＭに中継するワイヤレスインフラストラクチャのリバースコモンチャネルを介して発言権制御要求を送信する。例えば、専用のリバースチャネルが利用できない場合には、リバースアクセスチャネルまたはリバースエンハンストチャネルがそのようなメッセージを送信するために使用される。一実施形態において、クライアント移動局は発言権要求メッセージをＳＤＢメッセージとしてＣＭに送信する。
【００５１】
図３は、発言権制御要求処理の例示的な呼シグナリングを示している。クライアント移動局（ＭＳ）はグループ呼を開始することを望むユーザからの要求を受信する。一実施形態において、クライアントＭＳはＰＴＴデバイスである。一実施形態において、クラアントＭＳは、専用トラフィックチャネルの再確立を企てる前に、アクセスチャネルまたはエンハンストアクセスチャネルなどの、リバースコモンチャネルを介してＰＴＴ発言権要求３０２を送信する。一実施形態において、クライアントＭＳはどのチャネルを使用するかにかかわらず、ＳＤＢメッセージにおけるＰＴＴ発言権要求３０２を送信する。
【００５２】
クライアントＭＳは次に例えば、“サービスオプション３３再オリジネーション”を実行することによって、その専用トラフィックチャネル３０４の再確立を開始する。クライアントＭＳは、無線リンクプロトコル（ＲＬＰ）同期３０６を開始する。一実施形態において、クライアントＭＳはその専用トラフィックチャネルを再確立し、好ましくはＰＴＴ発言権要求３０２の送信と同時にＲＬＰを同期させる。
【００５３】
したがって、移動局がアクティブな専用トラフィックチャネルをもたないときに、発言権制御要求をＣＭに合図するために利用可能なリバースコントロールチャネル及び／又はＳＤＢ特徴を使用することは、参加している移動体を目覚めさせるのに要する全体の時間を低減する。話者クライアントは、その発言権要求が話者のフォワードトラフィックチャネルが再確立されるまでに許可されたという確認応答を受信しなかったけれども、参加している聴取者を目覚めさせることを開始するようにＣＭにすぐに合図する能力は全体の待ち時間を低減する。
【００５４】
図３において、ワイヤレスインフラストラクチャは、ＰＴＴ発言権制御要求３０８をパケットデータサービスノード（ＰＤＳＮ）に、続いてＣＭに送信する。一実施形態において、発言権制御要求３１０を受信した後に、ＣＭは要求を仲裁し、メディアシグナリング目覚ましメッセージ（トリガ）を一群の目標参加者（聴取者）にバースト転送し、及び／又は参加者（聴取者）のトラフィックチャネルの再確立をトリガする。ＣＭがＰＴＴ発言権要求を許可するならば、ＣＭは、ＰＴＴ発言権許可３１４をクライアントＭＳに送信するインフラストラクチャに、ＰＴＴ発言権許可３１２を送信する。一実施形態において、インフラストラクチャは、クライアントの専用トラフィックチャネルがまだ再確立されていないならば、フォワードページングチャネル及びフォワードコモンコントロールチャネルなどの、利用可能なフォワードコモンチャネルを介してＰＴＴ発言権許可３１４をクライアントＭＳに送信する。一実施形態において、インフラストラクチャはどのチャネルが使用されているかにかかわらず、ＰＴＴ発言権許可３１４をクラインとＭＳに送信する。
【００５５】
一実施形態において、ＣＭは、ＰＴＴ発言権制御要求に応答する前に休眠応答タイマが満了するまで待機する。グループの休眠応答タイマがゼロに設定されるならば、ＣＭは直ちに発言権制御要求に応答する。一実施形態において、クライアントＭＳがそのトラフィックチャネルの再確立とＲＬＰ同期を完了したならば、クライアントＭＳは、クラアントＭＳ内に一次記憶されていたストリームメディア３１６をＣＭに送信する。
【００５６】
ネットワークから発せられる呼シグナリングメッセージ
一実施形態において、発言権制御要求を受信した後で、ＣＭはメディアシグナリング目覚ましメッセージを一群の目標参加者（聴取者）にバースト転送し、参加者（聴取者）のトラフィックチャネルの再確立をトリガする。グループの休眠応答タイマがゼロに設定されるならば、ＣＭはただちに発言権制御要求に応答する。一実施形態において、話者がＰＴＴ要求の送信の直後にトラフィックチャネルの再確立を開始するならば、呼び出し者及び聴取者のトラフィックチャネルは、好ましくは同時に再確立される。
【００５７】
図４は、ネットワークにより開始された休眠目覚まし処理のための例示的な呼シグナリングを示す。ＣＭがＰＴＴ発言権制御要求３１０（図３）を受信した後で、ＣＭは目標の聴取者に向けられた目覚ましトリガ４０２を送信する。ＰＳＤＮはパケットデータセッションが目標移動体に対して存在するか否かを決定し、トリガパケットを適切なインフラストラクチャ要素例えば基地局に転送する。インフラストラクチャはその専用トラフィックチャネルの再確立を開始するために個々の目標ＭＳをページング（４０６）する。目標ＭＳは次に、例えば“サービスオプション３３再オリジネーション”を実行することによって、専用トラフィックチャネル４０８の再確立を開始する。目標ＭＳは無線リンクプロトコル（ＲＬＰ）同期４１０を開始する。一実施形態において、目標ＭＳは専用トラフィックチャネルを再確立し、好ましくは、ＲＬＰをクラアントＭＳによって実行されているのと同じ機能に同期化させる。
【００５８】
一実施形態において、目標ＭＳが専用トラフィックチャネルと、ＲＬＰの同期化を完了した後、ＣＭは目覚ましトリガ４１２を目標ＭＳに再送する。目標ＭＳがメディアを受信する準備ができていることを示す目覚まし応答４１４をＣＭに送信する。ＣＭは、ＣＭに記憶されていたメディア４１８を目標ＭＳに送信する前に話者アナウンスメント４１６をクライアントＭＳに送信する。
【００５９】
一実施形態において、インフラストラクチャは、目標聴取者のトラフィックチャネルがまだ再確立されない間、フォワードページングチャネル及びフォワードコモンコントロールチャネルなどの、利用可能なコモンフォワードチャネルを介して目標聴取者に目覚ましトリガ４１２を送信する。一実施形態において、インフラストラクチャはどのチャネルが使用されるかにかかわらず、目覚ましトリガ４１２をＳＤＢ形態で目標聴取者に送信する。ＰＴＴ発言権制御要求がＳＤＢメッセージとして話者のリバースコモンチャネルを介して送信され、目標グループの休眠応答タイマがＣＭでゼロに設定されるならば、話者クライアントでの実際のＰＴＴ待ち時間は、リバースリンクに関するＳＤＢ要求メッセージを送信するのに要する時間にまで低減される。ＳＤＢ要求メッセージの後はフォワードリンクに関するＳＤＢ応答メッセージが送信される。
【００６０】
呼シグナリングメッセージのためのネットワークインタフェース
どのネットワークから発せられた特別なトラフィック例えばＳＤＢペイロードが、専用トラフィックチャネルなしにアイドル移動局に送信されたかを決定するために、そのようなトラフィックを他のトラフィックから区別するためのインフラストラクチャ方策あるいはインタフェースが実装される。
【００６１】
一実施形態において、ＩＰデータグラムは、ＳＤＢメッセージが制限されたユーザペイロードを搬送するときに、そのサイズに従ってフィルタリングされる。専用トラフィックチャネルを有さない移動体に向けられているならば、所定のサイズ制限よりも小さいＩＰデータグラムはＳＤＢメッセージとして送信される。アプリケーション発言権要求応答メッセージは非常に小さく、例えば、ＩＰヘッダを含んで３４バイトなので、グループ通信システムはそのようなフィルタを使用する。
【００６２】
第２実施形態において、インフラストラクチャベンダは、移動局への配送に向けられているＩＰトラフィックをカプセル化するためのＩＰ基盤のサービスを定義する。このサービスの知識を有するＩＰサーバは小さいなＩＰ例えば、ＩＰヘッダにより適切にカプセル化されたＵＤＰデータグラムを、専用トラフィックチャネルをもたないと思われる移動体への配送のためにこのサービスへ送信する。グループ通信システムは、例えば、発言権要求応答メッセージがＳＤＢ形態で要求するクライアントＭＳに配送されることをインフラストラクチャに対して示すためにこのサービスを使用する。ＳＤＢトラフィックの係属中ページあるいはサービス発生要求との協調もまた、ユーザトラフィックの迅速で信頼性ある配送を確実にするために重要である。
【００６３】
第３実施形態において、ＩＰサーバは、専用トラフィックチャネルをもたないと思われる移動体への配送のために特別なＩＰ例えばＵＤＰデータグラムをＩＰヘッダとともに送信する。ＩＰサーバは例えば、ＩＰデータグラムをクライアントＭＳに配送するようにインフラストラクチャに対して指示するために、例えばＩＰヘッダ内に特別な値を指定することによって、ＩＰデータグラムにタグ付けを行う。グループ通信システムは、例えば、発言権要求応答メッセージはＳＤＢ形態で要求するクライアントＭＳに配送すべきであることをインフラストラクチャに対して示すためにこのサービスを使用する。第３実施形態において、ＵＤＰまたはＴＣＰポート範囲は特定のＩＰデータグラムすなわちＳＤＢメッセージを配送するために保存される。
【００６４】
移動体により開始されるサービスオリジネーション及びページング
一実施形態において、図３を参照して説明したように、話者移動局（ＭＳ）は、ＳＤＭの形態であるＣＭに発言権制御要求３０２を送信する。その直後、サービスオリジネーション要求３０４がトラフィックチャネルを迅速に再確立するためにワイヤレス例えばＣＤＭＡインフラストラクチャに送信される。しかしながら、休眠応答タイマが小さな値に設定されるならば、ＣＭはただちに発言権制御要求３１０に応答して、話者ＭＳに応答３１２を送信する。この応答がサービスオリジネーショントランザクション３０４の初期の段階のインフラストラクチャに到着するならば、インフラストラクチャは、話者ＭＳがアクティブトラフィックチャネルをもたず、話者ＭＳに対する応答をページングしようと企てる。しかしながら、このページングアクションは、すでに進行中のサービスオリジネーショントランザクションを中止するだろう。一実施形態において、話者ＭＳはページに応答して、発言権制御応答メッセージが話者に配送され、サービスオリジネーションを再び要求することを確実にする。しかし、中止されたもとのサービスオリジネーション企ての結果、話者のトラフィックチャネルを再確立するときに不必要な遅延が起こる。
【００６５】
第１実施形態において、サービスオリジネーション処理とページングとの競争状態を避けるために、ＣＭは発言権制御要求３１０に直ちに応答しないように構成される。したがって、例えばＣＭ内の休眠応答タイマは、サービスオリジネーション処理３０４が完了した後、ＣＭが応答３１２を話者ＭＳに送信するように調整される。
【００６６】
第２実施形態において、ＣＭにより開始される応答３１２を受信するＰＤＳＮと、話者のサービスオリジネーション要求に応答する移動体交換局（ＭＳＣ）とが調整される。すなわち、ＰＤＳＮが、ＣＭにより開始された応答３１２がインフラストラクチャに到着したときに話者ＭＳに対するパケットデータサービスオリジネーション処理がすでに進行していると決定したならば、ＭＳＣは、話者ＭＳをページングするのを遅らせる。ＰＤＳＮは応答を蓄えて、サービスオリジネーション処理が完了したときにそれを話者移動体のフォワードトラフィックチャネルを介して送信する。一方、サービスオリジネーション処理がまだ進行中であるならば、ＭＳＣは応答をＳＤＢメッセージとして話者ＭＳに送信する。
【００６７】
第３実施形態において、話者ＭＳが発言権制御要求３０２に対する応答を受信するまで、当該話者ＭＳはサービスオリジネーション要求３０４を発行することなしに競争状態を避ける。一実施形態において、話者ＭＳはアクティブな専用トラフィックチャネルを持たないので、ＣＭは、フォワードページングチャネル及びフォワードコントロールチャネルなどの、利用可能なフォワードコモンチャネルに関して応答を話者ＭＳに送信する。一実施形態において、ＣＭは応答を話者ＭＳにＳＤＢ形態で応答する。聴取者移動体に対するＣＭトリガトラフィックチャネル再アクチベーションによって送信される目覚まし要求と同様に、話者ＭＳは、トラフィックチャネル再アクチベーションをトリガするためにＣＭにより生成された発言権制御応答３１２に依存する。移動体により開始されるサービスオリジネーション及び移動体のネットワークにより開始されるページングの同時発生の可能性は回避できるので、競争状態は回避できる。
【００６８】
ネットワークにより開始されたパケットデータトリガのキャッシュ動作
ワイヤレス例えばＣＤＭＡインフラストラクチャに到着し、専用のトラフィックチャネルをもたない聴取者移動体に向けられた、目覚ましトリガ４０２を含むＩＰデータグラムは、概してネットワークによってあるいは特にワイヤレスインフラストラクチャによって失われる。一実施形態において、聴取者移動体に送信される目覚ましトリガ４０２は、聴取者が応答するかあるいはグループの目覚ましタイマが終了するまで、規定のスケジュールに従って積極的に再送される。例えば、目覚ましトリガ４０２は各５００ｍｓごとに再送される。しかしながら、このレートで目覚ましトリガ４０２を再送することは、聴取者のトラフィックチャネルが再確立された時期から聴取者に向けられた次の目覚ましトリガがインフラストラクチャに到着するまでに、５００ｍｓまでの最大遅延あるいは２５０ｍｓの平均遅延を引き起こす。
【００６９】
一実施形態において、インフラストラクチャまたはネットワーク内の他のエンティティは、ＣＭによって送信された目覚ましトリガ４０２を蓄えて、目標ＭＳがトラフィックチャネルを再確立するやいなや、それを当該目標ＭＳに配送する。このことは、ＣＭによる目覚ましトリガ４０２の再送に対する必要性を除去して、全体の休眠目覚まし時間を低減する。目覚ましトリガ４０２を蓄えることは目覚ましトリガ４０２を例えば５００ｍｓのレートで再送することとは逆に、全体の休眠目覚まし時間から５００ｍｓまでの遅延をなくす。
【００７０】
メディアバッファリング
一実施形態において、専用チャネルがクライアント及び聴取者間で再確立される前にメディアを記憶することによって、ユーザは当該ユーザが発言権制御を要求した後、話を開始することが許可される。話者のスピーチを蓄えることによって、システムは、聴取者のトラフィックチャネルが完全に再確立される前に話者が話を開始することを許可する。このことは話者が会話を早い時期に開始することを可能にして、見かけ上のＰＴＴ待ち時間を低減する。聴取者はＰＴＴ待ち時間を被らないので経験上影響を受けない。すなわち、ＰＴＴ待ち時間は話者からシステムの他の部分に変位する。話者は、最初の会話発声に対する聴取者からの応答を受信する可能な長さだけ待機するが、上記したように、話者は、最初の会話発声に対する応答が、アクティブな会話を行っている間に起こる次の会話発声に対する応答よりも長い時間を要することを予期する。話者の最初の会話発声のバッファリングはＣＭ側あるいはクライアントＭＳ側でなされる。
【００７１】
ＣＭバッファリング
一実施形態において、ＣＭは話者の最初の会話発声をバッファリングする。ユーザがＰＴＴボタンを押してユーザのトラフィックが再確立された後で、ユーザはＣＭと通信を行うことを許可する。このとき、聴取者のトラフィックチャネルはまだ起動されていないので、ＣＭは目標聴取者への将来的な送信のために話者の音声をバッファリングする。ＣＭバッファリングは見かけ上のＰＴＴ待ち時間を低減し、話者は、話者のトラフィックチャネルを起動するのに要するおおよその時間を認識する。図５は一実施形態によるＣＭバッファリングを示す。
【００７２】
クライアント側のバッファリング
一実施形態において、短い見かけ上の待ち時間が所望されるならば、話者は、トラフィックチャネルが再確立される前でさえも会話を開始することを許可される。クライアントＭＳがまだＣＭと通信していないので、会話を開始するための話者への合図はクライアントＭＳによってなされる。話者のトラフィックチャネルが再確立される前に話者が会話することを許可されるならば、クラアントＭＳは音声をバッファリングする。ＣＭとの通信はまだ確立されていないので、会話に対する許可は“楽観的に”与えられる。図６は、一実施形態によるクライアント側バッファリングを示す。一実施形態において、ＣＭバッファリング及びクライアント側バッファリングは同時に動作する。クライアント側バッファリングは、見かけ上のＰＴＴ待ち時間を小さくすることを可能にする。
【００７３】
ＣＭバッファリングと同様に、全体の遅延は変更しない。ユーザは聴取者からの応答を受信するときに同じ遅延を経験するが、話者の見かけ上のＰＴＴ待ち時間は小さくなる。
【００７４】
一実施形態において、クライアントＭＳは、ユーザによって経験される見かけ上のＰＴＴ待ち時間を制御するためにメディアをバッファリングする。移動体により発せられるＳＤＢとクライアント側メディアバッファリングとの組み合わせは、アクティブなトラフィックチャネルを再確立することに関連する遅延を低減する。
【００７５】
迅速なページングチャネル
一実施形態において、グループの目覚ましタイマが終了するか或いはすべての聴取者クライアントがそれぞれのトラフィックチャネルを起動するためにネットワークにより開始されたトリガに応答するまで、ＣＭは話者のＰＴＴ要求に応答することを遅延させる。ＣＭは、話者がグループでメディアを送信することを許可する前にすべての聴取者がページングされるまで待機する。グループの聴取者がページに応答する時間が長くなるほど、話者により認知されたＰＴＴ待ち時間が長くなる。
【００７６】
一実施形態において、休眠目覚ましの間、各聴取者クライアントはＣＭによって一連の目覚ましトリガが個々に送信される。ＣＭは、例えばＣＤＭＡインフラストラクチャに到着しだい、１つまたはそれ以上のページを各移動体にトリガする。ページを受信した後、各移動体はトラフィックチャネルを再確立し、送信された次の目覚まし要求を受信し、目覚まし要求返答によりＣＭに応答する。聴取者ハンドセットがこのアプリケーションレベル“ｐｉｎｇ”に応答するのに要する時間の主要部分は、移動体をページングするための適当な時間を待つインフラストラクチャで費やされる。
【００７７】
バッテリ寿命を保存するために、移動体は、移動体がアイドル状態にあるときにページングチャネル内で定義された例えば２０４８のスロットのそれぞれを定期的に監視する必要がない。どちらかというと、移動体は、移動体の能力に応じてフォワードコモンコントロールチャネル（Ｆ−ＣＣＣＨ）あるいはフォワードページングチャネル（Ｆ−ＰＣＨ）を監視する。さらに、移動体はスロットサイクルインデックスにしたがってページングスロットを監視する。
【００７８】
一実施形態において、バッテリ寿命を保存するために、移動体は“スロット付きページング”モードで動作する。このモードにおいて、移動体は、基地局（ＢＳ）によって送信されたページを聴取するために短時間の間周期的に目覚める。いつ移動体が聴取するかを知っているＢＳは、特定のページングスロットの間、特定の移動体に対してページを送信する。
【００７９】
一実施形態において、移動体がページングチャネルを聴取するために目覚める期間は、スロットサイクルインデックス（ＳＣＩ）と呼ばれるパラメータによって制御される。ＳＣＩが長いほど、移動体がページングチャネルを聴取するために目覚めるスロット間の時間は長くなる。電話は時間の多くを休眠状態に費やすので、大きなスロットサイクル値は電話のスタンバイ時間が増大する。しかし、ＢＳが電話をページングする前に待機しなければならない時間を増大する。
【００８０】
ＢＳが電話に対するページを遅延されるのに要する時間の量は、０（ＢＳがそれをページする必要があるときに電話のスロットがちょうど開始されたとき）とフルスロットサイクル（ＢＳが電話をページングする必要があるときに電話のスロットがちょうど終了したとき）との間で変化する。平均して、電話のスロットが到来するのを待つことによる遅延はスロットサイクル周期の半分である。移動体により使用されるスロットサイクルが短いほど、聴取者は高速でインフラストラクチャによってページングされる。しかしながら、スロットサイクルが短いほどバッテリ消費が大きくなることを意味する。
【００８１】
一実施形態において、移動体がページングチャネルそれ自身を監視することを必要としないで、電力効率の良い方法で係属中のページがいつ存在するかを決定することを可能にするためにフォワードクイックページングチャネル（Ｆ−ＱＰＣＨ）が使用される。Ｆ−ＱＰＣＨを監視可能な移動体は、ページングチャネルについての例えば８０ｍｓスロット内の１ビットインジケータの値を抽出するために各所定数のスロットを目覚めさせる。抽出されたビットが設定されないならば、ページングチャネルに関して係属中のページは存在せず、移動体は他のスロットサイクルにおいて休眠する。抽出されたビットが設定されたならば、当該移動体に対するページは係属中となり、移動体は休眠から目覚めてそれ自身のスケジューリングを行い、次の適切なページングチャネルスロットでページングチャネルを監視する。
【００８２】
Ｆ−ＱＰＣＨにより用いられる変調により、移動体は、ページングチャネルを監視するよりもはるかに効率良くＦ−ＱＰＣＨを監視する。このことは移動体が電力効率の良い方法で大変短いスロットサイクルで効率良く動作することを可能にする。Ｆ−ＱＰＣＨを使用することの１つの利点は、移動体にインフラストラクチャからの一般的なページメッセージを検出して応答する手段を備えさせることである。同じバッテリ消費率で許されるより高速なスロットサイクルでＣＭからの要求メッセージを目覚めさせる。このことは、ＰＴＴ待ち時間と全体の休眠目覚まし時間すなわち聴取者トラフィックチャネルを再確立するのに要する時間、に直接寄与する遅延の１要素を最小化する能力に変換される。
【００８３】
スロット付きタイマ
一実施形態において、移動体は、“スロット付きタイマ”に関連してスロットを持たないページングモードで動作する。起動されたとき、スロット付きタイマは、移動体が専用トラフィックチャネルを解放して、スロット付きタイマにより規定された時間の間、アイドルモードに移行したときに、スロットを持たないモードでページングチャネルを監視することを要求する。このタイマの値は基地局で構成可能である。この特徴により、インフラストラクチャが、アイドルモードにあるときにページングチャネルに関して例えば８０ｍｓスロットごとに移動体を監視するように移動体に指示を出すことを可能にし、インフラストラクチャにおいて任意のスロットにおいて移動体をページングするための手段を提供する。迅速なページングチャネルの特徴のみを使用する場合のように、スロットを持たないモードを使用することの１つの利点は、移動体が同じバッテリ消費率で許されるよりもページをより迅速に検出して応答する手段を提供し、これによって、休眠目覚ましの間、聴取者のトラフィックチャネルを再確立するのに要する時間を低減することである。
【００８４】
迅速なページングチャネルの特徴なしに、スロットのない監視を拡張して使用することはバッテリ寿命に高くつくことになる。しかしながら、迅速なページングチャネルとスロットのないモードはともに、１つまたは２つのスロット期間、例えば８０から１６０ｍｓの間に、移動体をほとんどただちに移動体をページングする手段を提供する。
【００８５】
スロットのないモードは、移動局に利用可能な休眠の２つの中間段階の１つとして見なされる。スロットなしのモードで動作するときに、移動体は、専用物理チャネルをもたないので技術的に休眠であると考えられる。しかしながら、このモードにおいて移動体は任意のスロットで実質的にただちにページングされ、ネットワークにより開始される再アクチベーションに関連するページング遅延は回避できる。
【００８６】
コントロール−ホールドモード
一実施形態において、移動体及びインフラストラクチャが、いずれかのエンドポイントが専用トラフィックチャネルと移動体のパケットデータオプション呼に関連する他の資源を解放することを可能にしている間、移動体とインフラストラクチャが移動体に関連するＰＰＰレイヤ状態を維持する付加的な休眠／アイドル状態を提供する。移動体またはインフラストラクチャは、トラフィックチャネルを再確立しＲＬＰと再交渉することによって移動体のパケットデータ呼を休眠／アイドル状態からアクティブ状態に推移する。トラフィックチャネルを再確立するのに要する時間は、移動体またはインフラストラクチャが再確立を開始するか否かに依存する。しかしながら、いずれの場合においても、遅延はシステム上の新たな呼を開始するのに要するそれと比較可能である。これは、すべてのシステム資源は要求されて移動体に割り当てられる必要がある。
【００８７】
一実施形態において、移動体はアクティブ及びアイドルモード間で中間位置として動作する“コントロール−ホールド”モードで動作する。コントロールホールドモードにおいて、移動体に関連した専用トラフィックチャネルは解放され、移動体のリバースパイロットは“ゲート制御”モードで動作する。一実施形態において、専用コモンコントロールチャネル及び／又はＲＬＰ状態は維持される。実際には、コントロールホールドモードは、大抵のシステム資源が割り当てられた状態を維持するが、システム容量を低減するために平均リバースリンク送信電力がゲート制御されたパイロットに低減される半休眠状態を提供する。図７は、無線モードに対する例示的な構成を示す。
【００８８】
一実施形態において、移動体は、資源解放メッセージあるいは資源解放要求小メッセージを送信することによって、アクティブモードからコントロールホールドモードへと遷移する。移動体は、資源要求メッセージあるいは資源要求小メッセージを送信することによってコントロールホールドモードからアクティブモードに遷移する。これらのメッセージは専用コントロールチャネルを介して転送され、小メッセージは短い例えば５ｍｓのフレームを使用して送信されて、コントロールホールドモード内へ及びコントロールホールドモードからの高速な遷移を可能にする。上記したように、従来のアイドルモードまたは休眠／アイドルモードと比較したときの、コントロールホールドモードの１つの利点は、コントロールホールドモードからアクティブモードへの比較的高速な遷移が可能であることである。
【００８９】
一実施形態において、承認されたグループがグループ休眠状態に遷移したことを示す表示をＣＭから受信したときに、クラアント移動体はまずそれ自身コントロールホールドモードに遷移し、非アクティブに保持されたさらなる期間の後で、アイドルモードへのさらなる遷移を行う。したがって、コントロールホールドモードは、いったんユーザがＰＴＴボタンを押すかあるいは目覚まし要求トリガがインフラストラクチャで受信されると、専用トラフィックチャネルを再確立するのに要する時間を大幅に低減する機構を提供する。
【００９０】
記憶されたサービス構成
一実施形態において、インフラストラクチャは、アイドルモードに遷移したときに、移動体及びインフラストラクチャサービス構成をキャッシュあるいは記憶する能力を提供する。アクティブモードに戻ってトラフィックチャネルを再確立したとき、移動体は、オリジネーションメッセージまたはページ応答メッセージにおいて、当該呼に対するサービス構成をキャッシュまたは記憶したことを示す。移動体はまた、オリジネーションまたはページ応答メッセージ内に、サービス構成の全長に渡って計算されるサイクリックリダンダンシーチェック（ＣＲＣ）を含む。基地局がサービス構成をキャッシュしたならば、基地局は、そのサービス構成が移動体の記憶されたサービス構成に一致することを確認するために受信したＣＲＣを使用し、その場合、ＢＳはその“サービス接続メッセージ”内に、移動体が予め記憶したサービス構成を使用することを示す。
【００９１】
一実施形態において、パケットデータサービスオプションの使用は、アイドルモードの外に遷移するときにサービス構成の変更を要求されず、記憶されたサービス構成の使用は、専用トラフィックチャネル資源を再確立するに要する時間を大幅に低減することができる。したがって、記憶されたサービス構成の特徴は、ＰＴＴシグナリング及び関連するメディアを運ぶトラフィックチャネルを再確立するのに要する時間を低減することによってＰＴＴ待ち時間を大幅に低減する機構を提供することによって、アイドルモードに対して大きな改善を実現する。
【００９２】
一実施形態において、クライアントＭＳに対するアクティブモードからアイドルモードへの遷移は、以下のように実行される。
【００９３】
１．グループはアクティブであり、移動体は専用トラフィックチャネルを有する。
【００９４】
２．グループのハングタイムタイマを越える非アクティブ期間の後で、アプリケーションレイヤグループ休眠の通知は、移動体のフォワードトラフィックチャネルを介して受信される。
【００９５】
３．移動体はコントロールホールドモードへ遷移し、そのサービス構成の状態をキャッシュする。同様に、クライアントの基地局はサービス構成の状態をキャッシュする。
【００９６】
４．非アクティブ期間の後に、移動体は専用チャネルを解放してアイドルモードに遷移する。移動体は迅速なページングチャネルの監視を開始し、インフラストラクチャによって指示されたならば、非スロットモードに移行する。ローカルユーザのＰＴＴボタンの押圧あるいは他のグループ参加者からのネットワークに起因するパケットデータトラフィックにより、非アクティブ状態が相対的に短いならば、移動体モードは、アクティブモードに戻る前にアイドルモードに移行しない。この場合、アクティブモードへの遷移は、移動体が専用チャネルを保持しているので迅速に発生する。
【００９７】
一実施形態において、休眠目覚まし事象は以下のように実行される。
【００９８】
１．グループは休眠状態であり、専用の物理的チャネルをもたずすべての移動体はアイドル状態にある。移動体は迅速なページングチャネルを監視している。
【００９９】
２．ユーザがプッシュツートークボタンを押圧したことに応答して、話者の移動体は、短いバーストデータの形態をもつ、利用可能なリバースコモンチャネルを介して、アプリケーションレイヤ発言権要求メッセージにより、ＣＭに合図をする。話者の移動体は、この時点からユーザメディアの一次記憶を開始する。
【０１００】
３．話者の移動体は、トラフィックチャネルを確立するために、“オリジネーションメッセージ”をインフラストラクチャに送信する。このことは、当該要求において、サービス構成をキャッシュし、構成データ上にＣＲＣを含むことを示している。このことは、話者の移動体トラフィックチャネルを再確立するプロセスを開始する。
【０１０１】
４．ＣＭは発言権要求を受信して、アービトレーションプロセスを介して要求を許可するか否かを決定し、発言権要求応答メッセージを話者に送信する。ＣＭは一連の目覚まし要求をすべての参加者にバースト転送することを開始する。
【０１０２】
５．各目覚まし要求を受信したときに、インフラストラクチャは最初に聴取者の移動体をページングするために次の適切なスロットを決定し、次に、ページが聴取者の移動体に対するページングチャネルに関して係属している当該スロットに先立つＦ−ＱＰＣＨを介してシグナリングを行うことによって各聴取者の移動体をページングする。
【０１０３】
ページが係属中であるという表示をＦ−ＱＰＣＨに関して受信すると、各聴取者移動体はページに対するページングチャネルを監視する。
【０１０４】
７．ページングチャネルに関するページを受信すると、各聴取者モジュールは、そのページ応答の中で、サービス構成をキャッシュしたことを表示して当該ページに応答するとともに、構成データ上にＣＲＣを含む。このことは、各聴取者のトラフィックチャネルを再確立するプロセスを開始する。
【０１０５】
８．話者のトラフィックチャネルの確立の後に、ＣＭからの次の発言権要求応答が話者側で受信される。話者はＣＭへのメディアの転送を開始する。
【０１０６】
９．各聴取者のトラフィックチャネルの確立の後に、ＣＭによって送信された次の目覚まし要求が聴取者で受信される。聴取者は目覚まし応答メッセージにより返答する。
【０１０７】
１０．すべての聴取者が応答するかあるいはグループの目覚ましタイマが終了すると、ＣＭはグループへのメディアの転送を開始する。
【０１０８】
したがって、グループ通信ネットワークにおける待ち時間を低減するための方法及び装置のための、開示された実施形態は、移動体が休眠状態でアクティブなトラフィックチャネルが存在しないときでさえもグループ呼シグナリングを交換することによって、実際の全休眠目覚まし時間及びＰＴＴ待ち時間を大幅に低減することを提供する。上記方法及び装置は、短データバースト（ＳＤＢ）メッセージシグナリングを使用することによって、グループ呼シグナリングを交換することを提供する。方法及び装置は、好ましくは話者移動体と休眠聴取者移動体に対する専用トラフィックチャネルを同時に再確立することを提供する。
【０１０９】
他の実施形態において、グループ通信ネットワークにおける休眠／目覚まし待ち時間は、目標聴取者に向けられたネットワークにより開始された目覚ましトリガをキャッシュングし、目標移動局がトラフィックチャネルを再確立するとただちに、目覚ましトリガを目標移動局に配送することによって、低減される。
【０１１０】
他の実施形態において、グループ通信ネットワークにおいて動作する移動体におけるサービスオリジネーションとページングが同時になることは、サービスオリジネーションプロセスが完了した後に、発言権制御要求に対する応答を送信することによって避けることができる。一実施形態において、サービスオリジネーションプロセスが完了していないならば、発言権制御要求に対する応答は、ＳＤＭの形態である。他の実施形態において、ソース通信装置に対するサービスオリジネーションプロセスは、当該応答をソース通信装置に送信した後に開始される。
【図面の簡単な説明】
【０１１１】
本発明の特徴及び利点は、図面を参照して以下に述べる詳細な説明から明らかになる。図面において、同一の要素には同一の参照符号が全体を通して用いられる。
【図１】グループ通信システムを示す図である。
【図２】通信装置がどのようにして通信マネージャと通信するのかを示す図である。
【図３】本発明の一実施形態に従った、発言権制御要求プロセスの呼び出しシグナリングの詳細を示す図である。
【図４】本発明の一実施形態に従った、ネットワーク起動による休眠―目覚ましプロセスの呼び出しシグナリングの詳細を示す図である。
【図５】本発明の一実施形態に従った、通信マネージャ側でのバッファリングメディアを示す図である。
【図６】本発明の一実施形態に従った、クライアント側でのバッファリングメディアを示す図である。
【図７】本発明の一実施形態に従った、例示的な無線リンクモードを示す図である。
【図１】
2005514803.tif 000003
【図２】
2005514803.tif 000004
【図３】
2005514803.tif 000005
【図４】
2005514803.tif 000006
【図５】
2005514803.tif 000007
【図６】
2005514803.tif 000008
【図７】
2005514803.tif 000009
【国際調査報告】
2005514803.tif 000010